(57)【特許請求の範囲】
【請求項１】
パチンコ機の遊技盤に取付ベース板を介して取り付けられたパチンコ球受口器の表示装置において、
前記パチンコ球受口器は、前記取付ベース板の前面側に突出する球受け部と、該取付ベース板の裏面側に突出する球通路部とを有し、前記遊技盤の前面に沿って落下するパチンコ球を前記球受け部に受け入れて前記球通路部に流すように構成され、
前記パチンコ球受口器の前カバーに装着された薄型の表示器と、
前記表示器の裏面に一列に設けられ、前記球受け部の下面に沿って後方へ延び、前記取付ベース板を貫通して前記球通路部の下方を後方に向かって突出する長いリード列と、
前記パチンコ球受口器のうちの前記取付ベース板よりも後方の位置に設けられ、前記リード列の各リードを一定ピッチで嵌合支持するリード嵌合部とを備え、
前記リード列の先端部に配線用のコネクタを差し込み接続できるように構成したことを特徴とするパチンコ球受口器の表示装置。
【請求項２】
前記球受け部の下面に沿って後方へ延びる前記リード列を下方から覆う下カバーが装着されていることを特徴とする請求項１に記載のパチンコ球受口器の表示装置。
【発明の詳細な説明】
【０００１】
【産業上の利用分野】
本発明は、配線処理構造を改良したパチンコ球受口器の表示装置に関するものである。
【０００２】
【従来の技術】
近年のパチンコ機は、遊技盤面に種々の表示機能を備え、その表示機能が益々多様化してきている。例えば、電磁石によってチューリップ（可動翼片）が開閉される電動チューリップ（電動式のパチンコ球受口器）の動作に関する遊技情報を遊技盤面に設けられたデジタル表示器に表示するようにしたものがある。
【０００３】
【発明が解決しようとする課題】
本出願人は、パチンコ球受口器に従来にはない斬新な表示機能を持たせるために、特願平６−２６１７６６号の明細書に示すように、パチンコ球受口器の前カバーに表示器を取り付けた構成を開発している。この構成では、表示器の裏面に半田付けされたリード線の束をパチンコ球受口器の下部の配線スペースに挿通して後方に引き出して配線するようになっているため、配線作業が甚だ面倒であるばかりか、パチンコ球受口器の下部にリード線の束を挿通する比較的大きな配線スペースが必要となり、パチンコ球受口器が大型化してしまうという欠点がある。パチンコ機の遊技盤面の大きさは限られているため、パチンコ球受口器の大型化は盤面上の他の部品の配置スペースを狭めてしまい、盤面構成の設計自由度を狭めてしまうことにもなる。
【０００４】
本発明はこのような事情を考慮してなされたものであり、従ってその目的は、配線作業の簡単化と装置全体のコンパクト化とを共に実現することができるパチンコ球受口器の表示装置を提供することにある。
【０００５】
【課題を解決するための手段】
上記目的を達成するために、本発明の請求項１の表示装置は、パチンコ機の遊技盤に取付ベース板を介して取り付けられたパチンコ球受口器の表示装置であり、
前記パチンコ球受口器は、前記取付ベース板の前面側に突出する球受け部と、該取付ベース板の裏面側に突出する球通路部とを有し、前記遊技盤の前面に沿って落下するパチンコ球を前記球受け部に受け入れて前記球通路部に流すように構成され、
前記パチンコ球受口器の前カバーに装着された薄型の表示器と、
前記表示器の裏面に一列に設けられ、前記球受け部の下面に沿って後方へ延び、前記取付ベース板を貫通して前記球通路部の下方を後方に向かって突出する長いリード列と、
前記パチンコ球受口器のうちの前記取付ベース板よりも後方の位置に設けられ、前記リード列の各リードを一定ピッチで嵌合支持するリード嵌合部とを備え、
前記リード列の先端部に配線用のコネクタを差し込み接続できるように構成したものである。
【０００６】
この場合、請求項２のように、前記球受け部の下面に沿って後方へ延びるリード列を下方から覆う下カバーを装着するようにすると良い。
【０００７】
【作用】
上述した請求項１のパチンコ球受口器の表示装置によれば、薄型の表示器の裏面に長いリード列を設け、この表示器をパチンコ球受口器の前カバーに装着すると共に、表示器の裏面側の長いリード列を、パチンコ球受口器の球受け部の下面に沿って後方へ延ばし、取付ベース板を貫通して球通路部の下方を後方に向かって突出させて各リードを一定ピッチでリード嵌合部に嵌合支持させる。これにより、リードの曲りが防がれて、リードの先端のピッチが一定に保たれ、パチンコ球受口器の取付ベース板の裏面側でリードの先端に配線用のコネクタを差し込み接続することが可能となる。つまり、リードは長いため、リードをリード嵌合部に嵌合支持させないと、組立時にリードが曲がりやすく、リードの先端のピッチが不揃いとなって、コネクタを差し込み接続することは不可能である。
しかも、表示器の裏面側の長いリード列を、パチンコ球受口器の球受け部の下面に沿って後方へ延ばし、取付ベース板を貫通して球通路部の下方を後方へ突出させているので、リード列の挿通スペースを、リード線の束の挿通スペースと比較して遥かに薄くできて、パチンコ球受口器の下部構造を小型化することができる。
【０００８】
更に、請求項２では、前記球受け部の下面に沿って後方へ延びるリード列を下方から覆う下カバーを装着するようにしたので、リード列を下カバーによって保護できる。
【００１０】
【実施例】
以下、本発明をパチンコ球受口器の表示装置に適用した一実施例について図面に基づいて説明する。まず、図１に基づいてパチンコ球受口器１１の構成を説明する。パチンコ球受口器１１の取付ベース板１２は、例えばプラスチックにより形成され、遊技盤１０にねじ止め等により取り付けられている。この取付ベース板１２の前面には、遊技盤１０の前面に沿って落下するパチンコ球を受け入れる球受け部であるプラスチック製のチャッカー１３が弾性係合爪（図示せず）により係合固定され、このチャッカー１３の前カバー１４内面に一体成形された２本の回動軸１５にそれぞれプラスチック製の可動翼片１６が回動自在に挿通支持されている。これら一対の可動翼片１６間に入った打球は、チャッカー１３で受けられ、取付ベース板１２の下部に後方に突出するように形成された球通路部１７へ案内されるようになっている。
【００１１】
一方、取付ベース板１２の背面側には電磁石１８が配置されている。この電磁石１８は、円筒鉄心１９に巻装されたコイル２０を金属フレーム２１内に収納し、円筒鉄心１９の上端を金属フレーム２１の上面部にかしめ付けて固定したものである。金属フレーム２１の後面部下端には左右一対のＬ字状の係合片２２が一体に形成されている。
【００１２】
この電磁石１８の下方に配置される可動磁性片２３は、例えば鉄板，鋼板等の磁性材料で形成され、その後端に形成された係合孔２４を、電磁石１８の金属フレーム２１下端の係合片２２に係合させることにより、可動磁性片２３が係合片２２を支点にして上下方向に回動可能に支持されている。この可動磁性片２３の前端部が各可動翼片１６に係合され、この可動磁性片２３の上下動によって各可動翼片１６が開閉される。つまり、電磁石１８の通電時には可動磁性片２３を図１（ｂ）に二点鎖線で示すように上方に吸引することで、可動翼片１６を自重により開放方向へ回動させて傾動状態に保持する。また、電磁石１８の断電時に可動磁性片２３を下方に付勢するために、電磁石１８の円筒鉄心１９内に非磁性体製の押圧子２５がスプリング２６と共に収納され、電磁石１８の断電時にはスプリング２６によって下方に付勢された押圧子２５が可動磁性片２３を押し下げることで、各可動翼片１６を閉鎖方向へ回動させて起立状態に保持する。
【００１３】
一方、チャッカー１３の前カバー１４には、薄型の７セグメント式の発光ダイオード表示器（以下単に「表示器」という）２７が装着されている。この表示器２７の裏面下辺部には、複数の長いリード２８が横一列に一定ピッチで半田付けされている。このリード２８の列は、チャッカー１３の下面に沿って後方へ延び、取付ベース板１２を貫通して球通路部１７の下方を後方へ突出している。このリード２８の列は、チャッカー１３の下面に両面接着テープ２９で接着され、更に、リード２８の列には、下方から下カバー３２が装着され、両面接着テープ３３でリード２８の列と下カバー３２とが接着されている。また、チャッカー１３の下面の後端部にはリード嵌合部３０が形成され、このリード嵌合部３０に形成された嵌合溝３１（図３参照）に各リード２８が一定ピッチで嵌合支持されている。各リード２８の先端部はリード嵌合部３０から後方に突出され、配線用のコネクタ３４が差し込み接続されている。これにより、表示器２７がリード２８とコネクタ３４を介して表示制御回路（図示せず）に電気的に接続されている。
【００１４】
以上のように構成した実施例によれば、薄型の表示器２７の裏面に長いリード２８の列を設け、この表示器２７を前カバー１４に装着すると共に、表示器２７の裏面側の長いリード２８の列を取付ベース板１２を貫通させて球通路部１７の下方を後方へ突出させ、各リード２８を一定ピッチでリード嵌合部３０に嵌合支持させるようにしている。従って、リード２８が長く、曲がりやすいという事情があっても、リード嵌合部３０によってリード２８の曲りを防いで、リード２８の先端のピッチを揃えることができ、パチンコ球受口器１１の裏面側でリード２８の先端に配線用のコネクタ３４を差し込み接続することができる。このため、配線作業が極めて簡単になり、組立作業性を従来に比較して大幅に向上することができる。しかも、リード２８の列を通すスペースは従来のリード線の束を挿通するスペースと比較して遥かに小さくて済むので、パチンコ球受口器１１の下部構造をコンパクト化することができて、盤面上の他の部品の配置スペースを狭めることがなく、盤面構成の設計自由度を大きくすることができる。
【００１５】
更に、上記実施例では、リード２８の列をチャッカー１３の下面や下カバー３２に両面接着テープ２９，３３で接着するようにしたので、上述したリード嵌合部３０による嵌合支持と相俟って、リード２８を一層強固に固定することができて、リード２８の曲がりを一層確実に防ぐことができ、リード２８の先端へのコネクタ３４の差し込み接続を一層確実に行うことができる。
【００１６】
尚、上記実施例では、チャッカー１３の下面と下カバー３２との間でリード２８の列を上下両側から両面接着テープ２９，３３でサンドイッチ状に接着するようにしたが、リード２８の列の上側又は下側のいずれか一方のみを両面接着テープで接着するようにしても良い。
【００１７】
また、上記実施例では、表示器２７を１桁のディジタル表示器として構成したが２桁以上のディジタル表示器としてして構成しても良い。
【００１８】
【発明の効果】
以上の説明から明らかなように、本発明の請求項１の構成によれば、表示器の裏面側の長いリード列を、パチンコ球受口器の球受け部の下面に沿って後方へ延ばし、取付ベース板を貫通して球通路部の下方を後方に向かって突出させて各リードを一定ピッチでリード嵌合部に嵌合支持させるようにしたので、リードが長く、曲がりやすいという事情があっても、リード嵌合部によってリードの先端のピッチを揃えることができて、パチンコ球受口器の取付ベース板の裏面側でリードの先端に配線用のコネクタを差し込み接続することができ、配線作業を極めて簡単にすることができる。
しかも、表示器の裏面側の長いリード列を、パチンコ球受口器の球受け部の下面に沿って後方へ延ばし、取付ベース板を貫通して球通路部の下方を後方に向かって突出させているので、リード列の挿通スペースを、リード線の束の挿通スペースと比較して遥かに薄くできて、パチンコ球受口器の下部構造を小型化することができ、装置全体のコンパクト化の要求も満たすことができる。
【００１９】
更に、請求項２では、前記球受け部の下面に沿って後方へ延びるリード列を下方から覆う下カバーを装着するようにしたので、リード列を下カバーによって保護できる。
【図面の簡単な説明】
【図１】（ａ）は本発明の一実施例を示すパチンコ球受口器の正面図、（ｂ）はパチンコ球受口器の縦断側面図
【図２】図１（ｂ）のＡ−Ａ線に沿って示すリード列部分の断面図
【図３】リード嵌合部の断面図
【符号の説明】
１０…遊技盤、１１…パチンコ球受口器、１２…取付ベース板、１３…チャッカー（球受け部）、１４…前カバー、１６…可動翼片、１７…球通路部、１８…電磁石、２３…可動磁性片、２７…表示器、２８…リード、２９…両面接着テープ、３０…リード嵌合部、３２…下カバー、３３…両面接着テープ、３４…配線用のコネクタ。
【図１】
0003587478.tif 000002
【図２】
0003587478.tif 000003
【図３】
0003587478.tif 000004